(57)【要約】【課題】公共の場に設置するのに適した情報表示装置を提供する。【解決手段】略直方体の本体１ａ内に表示装置２を備えた情報表示装置１において、表示装置２は、携帯電話の通信機能を備え、この通信機能を用いて表示させる画像データを受信し、本体１ａ内に、携帯電話の基地局部３と、外部の空気と本体１ａ内の空気との熱交換を行う熱交換装置４を備え、本体１ａ内に、上から表示装置２、基地局部３、熱交換装置４の順で配置したので、遠隔地からでも表示装置２に表示させるデータを指示することができ、集まった人に見易い情報表示装置１となる。【選択図】図２
2015031855.tif 000002
【特許請求の範囲】
【請求項１】
略直方体の本体内に画面部と制御基板を有する表示装置を備えた情報表示装置において、
前記表示装置は、携帯電話の通信機能を備え、この通信機能を用いて表示させる画像データを受信し、
また、前記本体内に、
携帯電話の基地局と、
外部の空気と前記本体内の空気との熱交換を行う熱交換装置を備え、
前記本体内に、上から前記表示装置、前記基地局、前記熱交換装置の順で配置した情報表示装置。
【請求項２】
熱交換装置は、本体内の空気を、外部の空気と熱交換して冷却して再び前記本体内に吹き出す循環する内気風路を形成し、
前記内気風路は、前記熱交換装置から吹き出した後、表示装置の画面部、前記表示装置の制御基板、基地局の順に通過する請求項１記載の情報表示装置。
【請求項３】
本体の縦方向の構造枠は、中空のパイプ式であり、
この構造枠の頂部に基地局のアンテナを設け、
前記構造枠の内部に前記アンテナと前記基地局を接続する配線を設けた請求項１または２記載の情報表示装置。
【請求項４】
アンテナは、アンテナ本体の下部に構造枠の蓋をするキャップ部を設けた請求項３記載の情報表示装置。
【請求項５】
本体は、地面内に埋め込んだアンカー部と接続して固定するものであり、
前記アンカー部は、構造枠と嵌合するよう地面から突き出して埋設された請求項１〜４いずれかひとつに記載の情報表示装置。
【請求項６】
アンカー部は、パイプ式の縦枠を有し、この縦枠内にアース棒を差し込んで接地を確保する請求項５記載の情報表示装置。
【発明の詳細な説明】
【技術分野】
【０００１】
本発明は、例えば屋外に設置される情報表示装置に関するものである。
【背景技術】
【０００２】
公共の場所における広告等の情報表示手段として、特許文献１には、電子画像掲示装置が開示されている。この電子画像掲示装置は、画像表示装置と画像転送装置から構成されている。画像転送装置には、画像表示装置に表示する画像を入力する画像データ入力部を備えている。そして、画像表示装置に対して、赤外線通信によって入力された画像データを転送し、画像表示装置では転送された画像データを表示するものである（例えば特許文献１）。
【先行技術文献】
【特許文献】
【０００３】
【特許文献１】特開２００３―３２３１６５号公報
【発明の概要】
【発明が解決しようとする課題】
【０００４】
このような電子画像掲示装置においては、画像転送装置と画像表示装置との間の通信手段を赤外線通信によって行なっているので、画像転送装置と画像表示装置間の距離が近くなければ、データ転送が行なえないという課題があった。
【０００５】
そこで、本発明による情報表示装置は、遠隔地からの画像データを受信し、その画像データを表示できることを目的とするものである。
【課題を解決するための手段】
【０００６】
そして、この目的を達成するために、本発明は、略直方体の本体内に表示装置を備えた情報表示装置において、前記表示装置は、携帯電話の通信機能を備え、この通信機能を用いて表示させる画像データを受信し、また、前記本体内に、携帯電話の基地局と、外部の空気と前記本体内の空気との熱交換を行う熱交換装置を備え、前記本体内に、上から前記表示装置、前記基地局、前記熱交換装置の順で配置したものであり、これにより所期の目的を達成するものである。
【発明の効果】
【０００７】
以上のごとく本発明は、略直方体の本体内に表示装置を備えた情報表示装置において、前記表示装置は、携帯電話の通信機能を備え、この通信機能を用いて表示させる画像データを受信し、また、前記本体内に、携帯電話の基地局と、外部の空気と前記本体内の空気との熱交換を行う熱交換装置を備え、前記本体内に、上から前記表示装置、前記基地局、前記熱交換装置の順で配置したものであるので、遠隔地からでも表示装置に表示させるデータを指示することができ、集まった人に見易い情報表示装置を提供する。
【０００８】
すなわち、本発明においては、まず、表示装置は、携帯電話の通信機能を用いて表示させるデータの送受信を行なう。本体内には、携帯電話の基地局を備えているので、遠隔地から表示させるデータの指示を行なうことができる。また、本体は、縦方向に表示装置、基地局、熱交換装置を配置しているので、視聴者が見易く、かつ、内部を効率的に冷却することができる。
【図面の簡単な説明】
【０００９】
【図１】本発明の実施の形態１の情報表示装置の設置状態を示す図
【図２】同情報表示装置の透視斜視図
【図３】同情報表示装置の据付説明図
【図４】同情報表示装置の据付説明図
【図５】同情報表示装置の点検パネルを開けた状態を示す図
【図６】同情報表示装置のアンテナの概要図
【図７】同情報表示装置のアンテナの接続を示す図
【図８】同情報表示装置の熱交換装置の外気風路を示す斜視図
【図９】同情報表示装置の熱交換装置の内気風路を示す斜視図
【図１０】同情報表示装置の外気風路を示す側断面概要図
【図１１】同情報表示装置の内気風路を示す側断面概要図
【発明を実施するための形態】
【００１０】
以下、本実施の形態について図面を参照しながら説明する。
【００１１】
（実施の形態１）
本実施の形態の情報表示装置１は、例えば、図１に示すバス停５０のような公共の場所に設置される。図１は例示であって、空港のロビー、駅のホーム、コンコースなど様々な場所に設置されるものである。
【００１２】
図１においては、バス停５０の待合所に情報表示装置１が設置されている。この情報表示装置１は、前面に画面が設けられた箱型のものである。そして、底部は、基礎となる地面（通常、コンクリートで固められている）に固定されている。バス停５０のように人が集まり、かつ、バスが来るまでの間の待ち時間があるような場所では、宣伝・広告あるいは、地域情報といった情報提供に都合がよい。また、ある程度限られた範囲に人が集まるため、比較的カバー範囲の小さい携帯電話の基地局を設置するのに適した場所である。さらには、無線ＬＡＮの基地局（ルーター）を備え、タブレット型の携帯情報端末などを使えるようにしてもよい。
【００１３】
図２は、情報表示装置１の内部構成を示す半透視図である。図２に示すように、情報表示装置１の本体１ａ内には、表示装置２と携帯電話の基地局部３と内部の発熱を冷却する熱交換装置４が納められている。情報表示装置１の本体１ａは、縦（上下）方向に長い直方体となっている。そして、本体１ａの枠体は、４本の縦枠を本体１ａの内側に設けられたパイプ式構造枠５で構成している。
【００１４】
表示装置２は、広告等の情報画面を表示するものであり、本体１ａの前面に画面が露出、あるいは、画面が見えるように取り付けられる。そして、表示部の制御基板は画面の裏側に設けられている。すなわち、本体１ａの裏側に、表示装置２の制御基板が配置される。
【００１５】
携帯電話の基地局部３は、本体１ａ内の表示装置２の下方に納められている。
【００１６】
熱交換装置４は、本体１ａの下部に設けられている。詳しくは後述するが、熱交換装置４は、本体１ａの外気を吸い込み、熱交換素子を通して再び外部へ放出する外気風路と、本体１ａの内部の空気を吸い込んで、熱交換素子で外気との熱交換によって冷却した後、再び本体１ａ内へ戻す循環風路を有している。
【００１７】
表示装置２に表示する画面データの受信、携帯電話のデータの送受信に必要なアンテナ９は、パイプ式構造枠５の頂部に備えられる。そして、アンテナ９と表示装置２、基地局３とを接続する配線類は、パイプ式構造枠５のパイプ内部を通して本体１ａ内に引き込まれる。
【００１８】
図２、図３に示すように、本体１ａは、設置する地面ＦＬ内に埋め込まれたアンカー部６と接続することによって設置場所に固定される。
【００１９】
アンカー部６は、パイプ式構造枠５と連結するパイプ部７とこのパイプ部７同士を地中内で連結する連結棒８で構成されている。パイプ部７は、アンカー部６の４隅に設けられ、頂部が設置される地面ＦＬから飛び出すようになっている。パイプ部７の１本には、放電用のアース棒１０を挿入し、アース棒１０の先端が地中に突き刺さるように設けられる。
【００２０】
そして、パイプ部７の少なくとも１本には、頂部にパイプの軸方向にスリット７ａが設けられ、アース棒１０と接続したアース線１０ａの取り出し口となっている。アース棒１０は、アース線１０ａによって接地の必要な強電部品（例えば、熱交換装置４に搭載された送風機用モータ）と接続されている。
【００２１】
本体１ａは、アンカー部６の上方から下ろしてパイプ式構造枠５とパイプ部７とが嵌合するようにして結合される。アース棒１０は、予めパイプ部７に差し込んでおき、アース線１０ａをパイプ部７のスリット７ａから引き出しておく。スリット７ａを設けたパイプ部７と嵌合するパイプ式構造枠５の下端には、スリット７ａと重なるように軸方向にスリット５ａが設けられている。
【００２２】
すなわち、パイプ部７から取り出されたアース線１０ａは、本体１ａとアンカー部６との結合時に、このスリット５ａ、スリット７ａを通して本体１ａ内に導出されることになる。図４は、パイプ式構造枠５とアンカー部６を結合した状態を示したものである。
【００２３】
図５に示すように、本体１ａとアンカー部６を結合した後、本体１ａの背面（あるいは前面）に設けられた点検パネル１２を開け、パイプ式構造枠５とパイプ部７を貫通するボルトを通して固定する（図４参照）。
【００２４】
なお、図５に示すように、本体１ａの点検パネル１２を開けると、基地局部３、熱交換装置４の一部が露出される。この点検パネル１２を開けた開口から基地局部３、熱交換装置４のメンテナンスを行なうことになる。
【００２５】
このように、アンカー部６とパイプ式構造枠５を嵌合させて結合するので、接地工事が簡単で強固に固定することができる。
【００２６】
パイプ式構造枠５の少なくとも２本には、その上部にアンテナ９が設けられている。アンテナ９には、少なくとも１本ずつの送信アンテナ、受信アンテナが含まれている。図６に示すように、アンテナ９は、アンテナ本体９ａとキャップ部９ｂ、信号線９ｃとで構成されている。
【００２７】
図７に示すように、アンテナ９は、パイプ式構造枠５の頂部の開口から信号線９ｃを侵入させ、キャップ部９ｂで蓋をする。信号線９ｃの先端は、パイプ式構造枠５の中間に設けられた配線取出し穴５ｂから取り出し、基地局部３と接続する。
【００２８】
このように、アンテナ９は、その信号線９ｃをパイプ式構造枠５内に納めてあるので、表示装置２の制御基板などへの信号ノイズの影響を抑えることができる。また、アンテナ９のキャップ部９ｂによってパイプ式構造枠５の蓋をして密封することになり、内部への水の浸入を防ぐことになる。
【００２９】
さらに、アンカー部６のパイプ部７を用いて接地するので、簡単で確実に内部の電荷を地面に落とすことができる。
【００３０】
また、表示装置２に表示するデータは、携帯電話の基地局部３を通して受信されるので、遠隔地からも表示装置２に表示させるデータを制御できることになる。さらに、情報表示装置１は、バス停５０などの人が集まる場所に設置されるので、携帯電話の基地局として有用であるとともに、広告・宣伝を表示する場所としても有用である。
【００３１】
また、表示装置２としては、タッチパネル、スイッチ類（キーボードなど）を備えた情報端末でもよい。この場合、表示装置２は、閲覧者の操作によって、より詳しい情報（例えば、設置された地域情報など）を表示することも可能である。
【００３２】
次に、熱交換装置４の動作について説明する。
【００３３】
まず、情報表示装置１の内部構成について説明する。図２に示すように、表示装置２には、液晶画面などを用いた薄型のディスプレイパネルが用いられている。表示装置２は、前述したように画面を情報表示装置１の前面側から見えるように配置し、背面側に制御基板を収納した制御ボックス２ａが設けられている。情報表示装置１の本体１ａは、表示装置２が納まるように奥行きが薄く、縦方向に長い箱型の形状である。基地局部３は、表示装置２の下方に設けられ、さらにその下方に熱交換装置４が設けられている。
【００３４】
熱交換装置４は、図８、図９に示すように、第１の送風機である内気送風機１３と、第２の送風機である外気送風機１４と、熱交換素子１５とを備えている。図８は、熱交換装置４を本体１ａの背面側から見た斜視図で、図８中の矢印は、後述する外気風路を示している。
【００３５】
図９は、熱交換装置４を本体１ａの前面側から見た斜視図で、図９中の矢印は、後述する内気風路を示している。熱交換素子１５は、詳細には説明しないが、板体を積層し、この板体間に本体１ａ外部の空気（以下、外気）と本体１ａ内部の空気（以下、内気）を交互に通して熱交換を行うものである。本実施の形態においては、板体は、鉛直方向に平行であって、本体１ａの前面に直交するように積層されたものである。
【００３６】
図１０に示すように、外気は、外気送風機１４の駆動によって本体１ａに設けられた外気吸込口１８から吸い込まれる。そして、熱交換素子１５の内部を通過し、外気吹出口１９から再び本体１ａの外部へ排出される（外気風路）。また、外気送風機１４は、熱交換素子１５の上部に内気送風機１３を挟んで２台設けられている。
【００３７】
本実施の形態においては、熱交換素子１５における外気は、図８、図１０に示すように、背面側（図１０の右側）に設けられた外気流入用開口４ａ、外気流入口１５ａから熱交換素子１５内に流入し、同じく背面側に設けられた外気流出口１５ｂから吹き出される。
【００３８】
すなわち、熱交換素子１５における外気風路として、横向きＵ字型の通風路が形成されていることになる。熱交換素子１５から吹き出した外気は、外気送風機１４によって昇圧され、外気流出用開口４ｂ、外気吹出口１９を介して本体１ａの外部へと放出される。外気流出用開口４ｂは、熱交換装置４の側面（さらに詳しくは、熱交換装置４の前面と背面に挟まれた側面）に設けられている。また、外気吹出口１９は、本体１ａの側面（さらに詳しくは、本体１ａの前面と背面に挟まれた側面）、あるいは背面に設けられている。
【００３９】
図９に示すように、内気は、熱交換装置４の上部の内気吸込口１６から内気送風機１３へと吸い込まれる。内気送風機１３から吹き出した内気は、熱交換素子１５を通過して、内気吹出口１７から再び本体１ａ内に吹き出すことになる（内気風路）。
【００４０】
また、熱交換素子１５における内気風路は、図９、図１１に示すように、天面に設けられた内気流入口１５ｃから熱交換素子１５内に流入し、前面側に設けられた内気流出口１５ｄから吹き出される。
【００４１】
すなわち、熱交換素子１５における内気風路として、Ｌ字型（左右逆）の通風路が形成されていることになる。熱交換素子１５から吹き出した内気は、内気吹出口１７から本体１ａの内部（図１１に示すチャンバーエリアＡ）へと放出される。
【００４２】
さらに、図１１に示すように、本体１ａ側の内気風路は、熱交換装置４の内気吹出口１７から本体１ａ下部のチャンバーエリアＡ、本体１ａの前面側のパネル前エリアＢ、本体１ａの背面側のパネル背面エリアＣを通過して再び熱交換装置４へ戻る経路を有する。
【００４３】
詳しく説明すると、熱交換装置４の内気吹出口１７から吹き出した内気は、チャンバーエリアＡを通過し、本体１ａの前面側のパネル前エリアＢ、すなわち、表示装置２の画面側を通って本体１ａの頂部へ到達する。そして、内気風路は本体１ａの頂部から折り返すようにして、本体１ａの背面側のパネル背面エリアＣ、すなわち表示装置２の制御ボックス２ａ側を通って下降する。最後に基地局部３を通って再び熱交換装置４に吸い込まれる。
【００４４】
本体１ａの内蔵物の許容上限温度は、表示装置２の画面部分（ディスプレイパネル）が最も低く、表示装置２の制御ボックス２ａ、基地局部３の順に高くなっている。そのため、内気風路は、許容上限温度の低い順に冷やすようになっている。すなわち、本体１ａにおいて、熱交換装置４から吹き出した直後の内気風路は、まず表示装置２の画面部分を冷やすように通過し、次に表示装置２の制御ボックス２ａ、最後に基地局部３を通っていく。このような内気風路とすることによって効率的に冷却できる。
【００４５】
このような熱交換装置４は、薄型で効率のよい冷却をすることが出来る。
【００４６】
また、熱交換装置４は、本体１ａの下部に設けられており、表示装置２は、その上部に設けられている。従って、閲覧者の目線に表示装置２の画面を位置することができて、見やすく、表示効果の高い情報表示装置１となる。
【産業上の利用可能性】
【００４７】
以上のごとく本発明においては、略直方体の本体内に表示装置を備えた情報表示装置において、前記表示装置は、携帯電話の通信機能を備え、この通信機能を用いて表示させる画像データを受信し、また、前記本体内に、携帯電話の基地局と、外部の空気と前記本体内の空気との熱交換を行う熱交換装置を備え、さらに前記本体の縦方向に伸びたアンテナ及びアース線を設け、前記アース線は、前記本体を設置する際に設置面に埋設されるものであるので、店舗用の看板、駅等の案内板などに活用することができる。
【符号の説明】
【００４８】
１    情報表示装置
１ａ    本体
２    表示装置
３    基地局部
４    熱交換装置
５    パイプ式構造枠
５ａ    スリット
６    アンカー部
７    パイプ部
７ａ    スリット
８    連結棒
９    アンテナ
９ａ    アンテナ本体
９ｂ    キャップ部
９ｃ    信号線
１０    アース棒
１０ａ    アース線
１２    点検パネル
１３    内気送風機
１４    外気送風機
１５    熱交換素子
１７    内気吹出口
１８    外気吸込口
１９    外気吹出口
５０    バス停
ＦＬ    地面
【図１】
2015031855.tif 000003
【図２】
2015031855.tif 000004
【図３】
2015031855.tif 000005
【図４】
2015031855.tif 000006
【図５】
2015031855.tif 000007
【図６】
2015031855.tif 000008
【図７】
2015031855.tif 000009
【図８】
2015031855.tif 000010
【図９】
2015031855.tif 000011
【図１０】
2015031855.tif 000012
【図１１】
2015031855.tif 000013